(57)【要約】      （修正有）【課題】インパクトの瞬間にグリップ部分の把持状態がずれたり、滑ったりしないことを防止するもので、特にゴルフ練習を行う際に、ゴルフクラブのグリップ部分と握る手とが正しい位置に収まり、グリップ部分の把持状態がずれたり、滑ったりしない指用装着具を提供する。【解決手段】ゴルフクラブのグリップ部分に当接するように指に装着される指用装着具において、手の指に装着可能な筒状本体１と、筒状本体に一端が固定され、グリップ部分に沿って伸びるグリップ当て部分２とよりなることを特徴とする。【選択図】図１
0003137052.tif 000002
【実用新案登録請求の範囲】
【請求項１】
ゴルフクラブのグリップ部分に当接するように指に装着される指用装着具において、手の指に装着可能な筒状本体（１）と、前記筒状本体（１）に一端が固定され、前記グリップ部分に沿って伸びるグリップ当て部分（２）とよりなることを特徴とする指用装着具。
【請求項２】
前記筒状本体（１）が利き手とは逆の人差し指（３）の第三関節に装着されていることを特徴とする請求項１記載の指用装着具。
【請求項３】
前記筒状本体（１）及び前記グリップ当て部分（２）の材質がポリウレタンであることを特徴とする請求項１または２記載の指用装着具。
【請求項４】
前記筒状本体（１）に利き手の小指が収まる第１に窪み（１１）と、利き手の薬指が収まる第２の窪み（１２）とが設けられていることを特徴とする請求項１〜３いずれか一項記載の指用装着具。
【請求項５】
前記筒状本体（１）に空気抜き用孔（１３）が形成されていることを特徴とする請求項１〜４いずれか一項記載の指用装着具。
【請求項６】
前記筒状本体（１）に空気抜き用スリット（１４）が形成されていることを特徴とする請求項１〜４いずれか一項記載の指用装着具。
【請求項７】
前記グリップ当て部分（２）が前記グリップ部分の形状に対応した曲面形状に形成されていることを特徴とする請求項１〜６いずれか一項記載の指用装着具。
【請求項８】
前記指用装着具がゴルフ練習用に特に適した請求項１〜７いずれか一項記載の指用装着具。
【考案の詳細な説明】
【技術分野】
【０００１】
本考案は、指用装着具に関する。
また、ゴルファーが、手の指に装着するための指用装着具に関し、詳しくは、ゴルフプレーを行う際に、ショットをしようとする各クラブのグリップ部分を一層確実に把持してショットができるようにした指用装着具である。
【背景技術】
【０００２】
従来、ゴルフプレーを行う際には、例えば、右利きの競技者の場合は、通常左手にグローブを装着してプレーを行うのが一般である。
これは、ゴルフクラブのグリップ部分と握る手との一体感を出すためである。
そして、ゴルフプレーを行う際には、クラブのグリップ部分と該グリップ部分を把持する競技者の手、指との把持具合がショットの良否を決定する重要な要素となる。
特に、初心者が、ゴルフ練習を行う際に、ゴルフクラブのグリップ部分と握る手とが正しい位置に収まり、グリップ部分の把持状態がずれたり、滑ったりしないことが重要である。
そして、数多くの球を打つゴルフ練習においては、グリップ部分の把持状態がずれたり、滑ったりすると、摩擦で手の皮がむけてしまったり、手の甲を傷付けたりしていた。
【０００３】
更に、ショットをする場合、ゴルフクラブのフェイス面とゴルフボールとが当たる衝撃時に、グリップ部分の把持状態がずれたり、滑ったりしないことが重要である。
しかし、従来のグローブでは、グリップ部分の把持状態がずれたり、滑ったりすることを十分に防止することが困難であった。
この対策として、従来のグローブの代わりに、利き手側の指に装着する指用装着具が提案された。（登録実用新案第３０５１５８２号公報、登録実用新案第３１０２９３６号公報、特開平１１−２２２７０３号公報）
しかし、この種指用装着具によっても、インパクト時の、把持状態のずれや、滑りを完全に防ぐことは困難であった。
【０００４】
【特許文献１】登録実用新案第３０５１５８２号公報
【特許文献２】登録実用新案第３１０２９３６号公報
【特許文献３】特開平１１−２２２７０３号公報
【考案の開示】
【考案が解決しようとする課題】
【０００５】
本考案は、インパクトの瞬間にグリップ部分の把持状態がずれたり、滑ったりしないことを防止することが可能な指用装着具を提供することを目的とするものである。
特に、初心者が、ゴルフ練習を行う際に、ゴルフクラブのグリップ部分と握る手とが正しい位置に収まり、グリップ部分の把持状態がずれたり、滑ったりしない指用装着具を提供することを目的とするものである。
【課題を解決するための手段】
【０００６】
上記目的を達成するために本考案にあっては、ゴルフクラブのグリップ部分に当接するように指に装着される指用装着具において、手の指に装着可能な筒状本体と、前記筒状本体に一端が固定され、前記グリップ部分に沿って伸びるグリップ当て部分とよりなることを特徴とする。
【考案の効果】
【０００７】
本考案は、以下に記載されるような効果を奏する。
請求項１記載の考案の指用装着具によれば、インパクトの瞬間にグリップ部分の把持状態がずれたり、滑ったりすることがない。
【０００８】
また、請求項２記載の考案の指用装着具によれば、より確実にグリップ部分の滑りを防止出来る。
更に、請求項３記載の考案の指用装着具によれば、インパクトの瞬間の衝撃を効果的に吸収することがきる。
更に、請求項４記載の考案の指用装着具によれば、両手に一体感が増し、グリップ部分の把持状態がずれることがない。
【０００９】
また、請求項５記載の考案の指用装着具によれば、装着した指の蒸れを防止できる。
更に、請求項６記載の考案の指用装着具によれば、装着した指の蒸れを防止すると共に、伸縮性を増すことが出来る。
更に、請求項７記載の考案の指用装着具によれば、ゴルフクラブのグリップ部分との一体感が増大する。
更に、請求項８記載の考案の指用装着具によれば、ゴルフ練習用に特に有用である。
【考案を実施するための最良の形態】
【００１０】
以下、本考案を実施するための最良の形態について説明する。
図１乃至図３に基づき考案を実施するための最良の形態について説明する。
図１は本考案の指用装着具の斜視図である。
図２は本考案の指用装着具を指に装着した状態を示す図である。
図３は本考案の指用装着具を指に装着した状態を図２とは異なる角度で示した図である。
【００１１】
本考案の指用装着具は、図１に示す様に、  ゴルフクラブのグリップ部分に当接するように指に装着される指用装着具において、手の指に装着可能な筒状本体１と、この筒状本体１に一端が固定され、グリップ部分に沿って伸びるグリップ当て部分２とより構成されている。
そして、この指用装着具は、図２及び図３に示す様に、  筒状本体１が利き手とは逆の人差し指３の第三関節に装着される。
【００１２】
この筒状本体１及びグリップ当て部分２は、柔軟な皮革材、布材、樹脂材、ゴム材等で製作されるが、特に、緩衝性、耐久性、柔軟性の観点から、ポリウレタン材が特に好ましい。
また、筒状本体１には、利き手の小指が収まる第１に窪み１１と、利き手の薬指が収まる第２の窪み１２とが設けられている。
このことにより、両手に一体感が増し、グリップ部分の把持状態がずれることがない。
【００１３】
更に、筒状本体１には、空気抜き用孔１３及び空気抜き用スリット１４が形成されている。
このことにより、筒状本体１の伸縮性が増大するとともに、装着した指の蒸れを防止できる。
尚、本実施例では、空気抜き用孔１３及び空気抜き用スリット１４を両方設ける態様としたが、いずれか一方を設ける態様としてもよい。
また更に、グリップ当て部分２は、グリップ部分の形状に対応した曲面形状に形成され、略手のひらを横断する長さを備えている。
【００１４】
また、本考案は上述の発明を実施するための最良の形態に限らず、本考案の要旨を逸脱することなくその他種々の構成を採り得ることはもちろんである。
【図面の簡単な説明】
【００１５】
【図１】本考案の指用装着具の斜視図である。
【図２】本考案の指用装着具を指に装着した状態を示す図である。
【図３】本考案の指用装着具を指に装着した状態を図２とは異なる角度で示した図である。
【符号の説明】
【００１６】
１    筒状本体
２    グリップ当て部分
３    人差し指
１１  第１の窪み
１２  第２の窪み
１３  空気抜き用孔
１４  空気抜き用スリット
【図１】
0003137052.tif 000003
【図２】
0003137052.tif 000004
【図３】
0003137052.tif 000005